(57)【要約】【課題】不正に開封された痕跡を目視で容易に発見可能な基板ケースを提供する。【解決手段】ケース本体２と蓋部材３とを組み付けて形成される基板ケース１において、ケース本体２および蓋部材３から右外方に突設されるシール貼付部１０と、ケース本体２と蓋部材３とを跨ぐようにシール貼付部１０に貼り付けられるＩＣタグシール３０と、ＩＣタグシール３０を切断するＩＣタグカッター２０と、シール貼付部１０を覆うようにケース本体２および蓋部材３に取り付けられ、ＩＣタグカッター２０と固定されるシール貼付部カバー４０と、を具備し、シール貼付部１０には、ＩＣタグカッター２０を収容する収容部１１が形成され、ＩＣタグカッター２０は、シール貼付部カバー４０がケース本体２および蓋部材３から取り外される際に、ＩＣタグシール３０の前側、右側、および後側を切断する境界切断部２１Ｂａ、本体側切断部２１Ｒａ、および蓋側切断部２１Ｆａを備える。【選択図】図８
2011212319.tif 000002
【特許請求の範囲】
【請求項１】
ケース本体と蓋部材とを組み付けて形成される基板ケースであって、
前記ケース本体の一部、および前記蓋部材の一部が互いの位置を合わせて外方に突出するように形成されるシール貼付部と、
前記ケース本体と前記蓋部材との境界を跨ぐように、前記シール貼付部の表面に貼り付けられる封印シールと、
前記封印シールを切断する切断手段と、
前記シール貼付部の全体を覆うように、前記ケース本体および前記蓋部材に取り付けられることで、前記ケース本体と前記蓋部材との組み付けを保持するシール貼付部カバーと、を具備し、
前記シール貼付部には、前記切断手段を収容する収容部が形成され、
前記収容部は、前記シール貼付部の突出方向に沿って前記シール貼付部の一部を成す前記蓋部材側部分を分断するように形成される蓋側スリットを含み、
前記切断手段は、前記シール貼付部から前記蓋部材側に突出するように前記蓋側スリットに収容される蓋側切断部を含み、
前記封印シールは、前記収容部に前記切断手段が収容された状態で、前記蓋側切断部よりも前記シール貼付部の突出方向側に位置し、かつ前記蓋側切断部を覆わないように、前記シール貼付部における前記ケース本体側の表面、突出方向側の表面、および前記蓋部材側の表面における前記境界スリット、および前記蓋側スリットを覆って貼り付けられ、
前記シール貼付部カバーは、前記収容部に前記切断手段が収容され、かつ前記封印シールが貼り付けられた状態の前記シール貼付部の全体を覆うように前記ケース本体および前記蓋部材に取り付けられることで、前記切断手段と一体的に固定され、
前記ケース本体および前記蓋部材から前記シール貼付部カバーが取り外される際には、前記シール貼付部カバーと一体的に固定された前記切断手段が前記シール貼付部の突出方向に沿って移動し、前記蓋側切断部が前記蓋側スリットに沿って前記封印シールを切断する基板ケース。
【請求項２】
ケース本体と蓋部材とを組み付けて形成される基板ケースであって、
前記ケース本体の一部、および前記蓋部材の一部が互いの位置を合わせて外方に突出するように形成されるシール貼付部と、
前記ケース本体と前記蓋部材との境界を跨ぐように、前記シール貼付部の表面に貼り付けられる封印シールと、
前記封印シールを切断する切断手段と、
前記シール貼付部の全体を覆うように、前記ケース本体および前記蓋部材に取り付けられることで、前記ケース本体と前記蓋部材との組み付けを保持するシール貼付部カバーと、を具備し、
前記シール貼付部には、前記切断手段を収容する収容部が形成され、
前記収容部は、前記ケース本体と前記蓋部材との境界に沿って前記シール貼付部を分断するように形成される境界スリットと、前記シール貼付部の突出方向に沿って前記シール貼付部の一部を成す前記ケース本体側部分を分断するように形成される本体側スリットと、前記シール貼付部の突出方向に沿って前記シール貼付部の一部を成す前記蓋部材側部分を分断するように形成される蓋側スリットとを含み、
前記切断手段は、前記境界スリットに収容される境界切断部と、前記シール貼付部から前記ケース本体側に突出するように前記本体側スリットに収容される本体側切断部と、前記シール貼付部から前記蓋部材側に突出するように前記蓋側スリットに収容される蓋側切断部とを含み、
前記封印シールは、前記収容部に前記切断手段が収容された状態で、前記本体側切断部および前記蓋側切断部よりも前記シール貼付部の突出方向側に位置し、かつ前記本体側切断部および前記蓋側切断部を覆わないように、前記シール貼付部における前記ケース本体側の表面、突出方向側の表面、および前記蓋部材側の表面における前記境界スリット、前記本体側スリット、および前記蓋側スリットを覆って貼り付けられ、
前記シール貼付部カバーは、前記収容部に前記切断手段が収容され、かつ前記封印シールが貼り付けられた状態の前記シール貼付部の全体を覆うように前記ケース本体および前記蓋部材に取り付けられることで、前記切断手段と一体的に固定され、
前記ケース本体および前記蓋部材から前記シール貼付部カバーが取り外される際には、前記シール貼付部カバーと一体的に固定された前記切断手段が前記シール貼付部の突出方向に沿って移動し、前記境界切断部が前記境界スリットに沿って前記封印シールを切断し、前記本体側切断部が前記本体側スリットに沿って前記封印シールを切断し、前記蓋側切断部が前記蓋側スリットに沿って前記封印シールを切断する基板ケース。
【発明の詳細な説明】
【技術分野】
【０００１】
本発明は、基板ケースに関し、特に基板ケースに貼り付けられた封印シールを切断する技術に関する。
【背景技術】
【０００２】
従来、パチンコ機やスロットルマシン等の遊技機において、制御基板を収納する部材として、ケース本体と蓋部材とを組み付けて形成される基板ケースが用いられている。基板ケースに収納した制御基板への不正行為を防止するため、基板ケースに関する種々の技術が公知となっている。これらの技術の中には、基板ケースが不正に開封されることを抑制することにより、その基板ケースに収納した制御基板に不正行為が行われることを抑制するとともに、仮に基板ケースが不正に開封された場合には、その遊技機が設置された遊技場等の担当者に基板ケースが不正に開封されたことを、認識させることができる技術がある。
【０００３】
特許文献１には、封印シールをケース本体と蓋部材との境界を跨ぐように基板ケースに貼り付けることで、封印シールをケース本体と蓋部材との境界に沿って切断しない限り、基板ケースの開封を不可能とし、基板ケースが不正に開封されることを抑制する技術が記載されている。
当該技術によれば、封印シールの切断痕により、上記の担当者に基板ケースが不正に開封されたことを認識させることができる。
【０００４】
しかしながら、上記のような技術では、シール貼付部の表面に貼り付けられた封印シールがケース本体と蓋部材との境界部分のみに沿って切断されるため、基板ケースの構造および取り付け方向等の性質上、基板ケースの正面側、つまり基板ケースの検査時における担当者側に位置しない封印シールの切断痕を目視で確認することが困難となる点で不利である。
【先行技術文献】
【特許文献】
【０００５】
【特許文献１】特開２０１０−２２５２５号公報
【発明の概要】
【発明が解決しようとする課題】
【０００６】
本発明は、不正に開封された痕跡を目視で容易に発見可能な基板ケースを提供することを課題とする。
【課題を解決するための手段】
【０００７】
請求項１における本発明の基板ケースは、ケース本体と蓋部材とを組み付けて形成される基板ケースであって、前記ケース本体の一部、および前記蓋部材の一部が互いの位置を合わせて外方に突出するように形成されるシール貼付部と、前記ケース本体と前記蓋部材との境界を跨ぐように、前記シール貼付部の表面に貼り付けられる封印シールと、前記封印シールを切断する切断手段と、前記シール貼付部の全体を覆うように、前記ケース本体および前記蓋部材に取り付けられることで、前記ケース本体と前記蓋部材との組み付けを保持するシール貼付部カバーと、を具備し、前記シール貼付部には、前記切断手段を収容する収容部が形成され、前記収容部は、前記シール貼付部の突出方向に沿って前記シール貼付部の一部を成す前記蓋部材側部分を分断するように形成される蓋側スリットを含み、前記切断手段は、前記シール貼付部から前記蓋部材側に突出するように前記蓋側スリットに収容される蓋側切断部を含み、前記封印シールは、前記収容部に前記切断手段が収容された状態で、前記蓋側切断部よりも前記シール貼付部の突出方向側に位置し、かつ前記蓋側切断部を覆わないように、前記シール貼付部における前記ケース本体側の表面、突出方向側の表面、および前記蓋部材側の表面における前記境界スリット、および前記蓋側スリットを覆って貼り付けられ、前記シール貼付部カバーは、前記収容部に前記切断手段が収容され、かつ前記封印シールが貼り付けられた状態の前記シール貼付部の全体を覆うように前記ケース本体および前記蓋部材に取り付けられることで、前記切断手段と一体的に固定され、前記ケース本体および前記蓋部材から前記シール貼付部カバーが取り外される際には、前記シール貼付部カバーと一体的に固定された前記切断手段が前記シール貼付部の突出方向に沿って移動し、前記蓋側切断部が前記蓋側スリットに沿って前記封印シールを切断する。
【０００８】
請求項２における本発明の基板ケースは、ケース本体と蓋部材とを組み付けて形成される基板ケースであって、前記ケース本体の一部、および前記蓋部材の一部が互いの位置を合わせて外方に突出するように形成されるシール貼付部と、前記ケース本体と前記蓋部材との境界を跨ぐように、前記シール貼付部の表面に貼り付けられる封印シールと、前記封印シールを切断する切断手段と、前記シール貼付部の全体を覆うように、前記ケース本体および前記蓋部材に取り付けられることで、前記ケース本体と前記蓋部材との組み付けを保持するシール貼付部カバーと、を具備し、前記シール貼付部には、前記切断手段を収容する収容部が形成され、前記収容部は、前記ケース本体と前記蓋部材との境界に沿って前記シール貼付部を分断するように形成される境界スリットと、前記シール貼付部の突出方向に沿って前記シール貼付部の一部を成す前記ケース本体側部分を分断するように形成される本体側スリットと、前記シール貼付部の突出方向に沿って前記シール貼付部の一部を成す前記蓋部材側部分を分断するように形成される蓋側スリットとを含み、前記切断手段は、前記境界スリットに収容される境界切断部と、前記シール貼付部から前記ケース本体側に突出するように前記本体側スリットに収容される本体側切断部と、前記シール貼付部から前記蓋部材側に突出するように前記蓋側スリットに収容される蓋側切断部とを含み、前記封印シールは、前記収容部に前記切断手段が収容された状態で、前記本体側切断部および前記蓋側切断部よりも前記シール貼付部の突出方向側に位置し、かつ前記本体側切断部および前記蓋側切断部を覆わないように、前記シール貼付部における前記ケース本体側の表面、突出方向側の表面、および前記蓋部材側の表面における前記境界スリット、前記本体側スリット、および前記蓋側スリットを覆って貼り付けられ、前記シール貼付部カバーは、前記収容部に前記切断手段が収容され、かつ前記封印シールが貼り付けられた状態の前記シール貼付部の全体を覆うように前記ケース本体および前記蓋部材に取り付けられることで、前記切断手段と一体的に固定され、前記ケース本体および前記蓋部材から前記シール貼付部カバーが取り外される際には、前記シール貼付部カバーと一体的に固定された前記切断手段が前記シール貼付部の突出方向に沿って移動し、前記境界切断部が前記境界スリットに沿って前記封印シールを切断し、前記本体側切断部が前記本体側スリットに沿って前記封印シールを切断し、前記蓋側切断部が前記蓋側スリットに沿って前記封印シールを切断する。
【発明の効果】
【０００９】
本発明によれば、基板ケースが不正に開封された痕跡を容易に発見することができる。
【図面の簡単な説明】
【００１０】
【図１】本発明の一実施形態に係る基板ケースの外観を示した斜視図。
【図２】同じく、基板ケースの全体的な構成を示した斜視図。
【図３】同じく、ケース本体および蓋部材の構成を示した基板ケースの分解斜視図。
【図４】ＩＣタグシールの構成を示した図。
【図５】ＩＣタグシールのアンテナの構成を示した図。
【図６】ＩＣタグシールが貼り付けられた基板ケースを示した斜視図。
【図７】シール貼付部の構成を示した右側面図。
【図８】ＩＣタグカッターの構成を示した斜視図。
【図９】ＩＣタグカッターの構成を第三角法で示した図。
【図１０】ＩＣタグカッターがシール貼付部の収容部に収容された様子を示す正面断面図。
【図１１】ＩＣタグカッターがシール貼付部の収容部に収容された様子を示す右側面図。
【図１２】ＩＣタグカッターがシール貼付部の収容部に収容された様子を示す正面図。
【図１３】シール貼付部カバーが取り付けられた様子を示す正面断面図。
【図１４】ＩＣタグカッターがＩＣタグシールを切断する様子を示す正面図。
【図１５】ＩＣタグシールが切断された基板ケースを示した斜視図。
【発明を実施するための形態】
【００１１】
本発明の一実施形態に係る基板ケース１について、図１から図６を用いて説明する。
なお、以下の説明において、図１における矢印Ｘの指す方向を基板ケース１の右方向として左右方向を規定する。また、図１における矢印Ｙの指す方向を基板ケース１の前方向として前後方向を規定する。さらに、図１における矢印Ｚの指す方向を基板ケース１の上方向として上下方向を規定する。
【００１２】
基板ケース１は、パチンコ機やスロットルマシン等の遊技機に対して、制御基板を収納する部材として用いられる。基板ケース１は、ポリカーボネート（Ｐｏｌｙｃａｒｂｏｎａｔｅ：ＰＣ）等の透明かつ硬質な合成樹脂材料等により構成され、その内部に制御基板（不図示）を収納する中空状の部材である。基板ケース１は、その内部に制御基板を収納した状態で、パチンコ機やスロットルマシン等の遊技機の裏側に配置されて、この遊技機の裏面に取り付けられる。
【００１３】
図１および図２に示すように、基板ケース１は、ケース本体２と、蓋部材３とを備える。基板ケース１は、ケース本体２と蓋部材３とを、後前に対向させた状態で組み付け、中空状に構成される。
【００１４】
基板ケース１には、かしめ部４およびシール貼付部１０がケース本体２と蓋部材３との間に跨って設けられて、かしめ部４がかしめ部カバー５により被覆され、シール貼付部１０がＩＣタグカッター２０とＩＣタグシール３０と共にシール貼付部カバー４０により被覆される。
【００１５】
図３に示すように、ケース本体２は、蓋部材３とともに基板ケース１の主たる構造体を成す部材である。ケース本体２は、蓋部材３との対向側である前側、および下側が開口された略直方体の箱状に形成される。ケース本体２は、その長手方向を左右方向とし、その短手方向を上下方向として配置され、背面が遊技機の裏面と対向するように当該遊技機に支持される。ケース本体２の前後幅は、上下幅よりも短く設定される。
また、ケース本体２は、本体側かしめ部４Ｒと、本体側シール貼付部１０Ｒとを備える。
【００１６】
本体側かしめ部４Ｒは、後述する蓋部材３の蓋側かしめ部４Ｆとともにかしめ部４を構成する。本体側かしめ部４Ｒは複数（本実施形態においては６つ）備えられる。複数の本体側かしめ部４Ｒは、ケース本体２の上端部（天板）に設けられ、ケース本体２の長手方向、即ち左右方向に適宜の間隔ごとに配置される。
【００１７】
本体側シール貼付部１０Ｒは、後述する蓋部材３の蓋側シール貼付部１０Ｆとともにシール貼付部１０を構成する。本体側シール貼付部１０Ｒは、ケース本体２の右端部（右側板）から右外方へ向けて突設される。本体側シール貼付部１０Ｒは、前側が開口された略直方体の箱状に形成される。本体側シール貼付部１０Ｒの前後幅はケース本体２の前後幅の半分程度に設定され、本体側シール貼付部１０Ｒの上下幅はケース本体２の上下幅よりも短く設定される。
【００１８】
蓋部材３は、ケース本体２とともに基板ケース１の主たる構造体を成す部材である。蓋部材３は、ケース本体２との対向側である後側が開口されたケース本体２と同程度の大きさの略直方体の箱状に形成される。蓋部材３は、その長手方向を左右方向とし、その短手方向を上下方向として配置される。蓋部材３の前後幅は、上下幅よりも短く設定される。
また、蓋部材３は、蓋側かしめ部４Ｆと、蓋側シール貼付部１０Ｆとを備える。
【００１９】
蓋側かしめ部４Ｆは、ケース本体２の本体側かしめ部４Ｒとともにかしめ部４を構成する。蓋側かしめ部４Ｆは、本体側かしめ部４Ｒと同数（本実施形態においては６つ）備えられる。複数の蓋側かしめ部４Ｆは、蓋部材３の上端部（天板）に設けられ、蓋部材３がケース本体２に組み付けられたときに正面視で一つの本体側かしめ部４Ｒと重なり合うように配置される。
【００２０】
蓋側シール貼付部１０Ｆは、ケース本体２の本体側シール貼付部１０Ｒとともにシール貼付部１０を構成する。蓋側シール貼付部１０Ｆは、本体側シール貼付部１０Ｒと位置を合わせて、蓋部材３の右端部（右側板）から右外方へ向けて突設される。詳細には、蓋側シール貼付部１０Ｆは、ケース本体２の本体側シール貼付部１０Ｒと同程度の上下幅および左右幅を有する略平板状に形成され、蓋部材３がケース本体２に組み付けられたときに正面視で本体側シール貼付部１０Ｒと重なり合うように配置される。
【００２１】
図２に示すように、かしめ部４は、一つの本体側かしめ部４Ｒと一つの蓋側かしめ部４Ｆとから形成される。かしめ部４は、本体側かしめ部４Ｒ（蓋側かしめ部４Ｆ）と同数（本実施形態においては６つ）備えられる。複数のかしめ部４は、ケース本体２と蓋部材３とが組み付けられたとき、蓋側かしめ部４Ｆを本体側かしめ部４Ｒに下方から嵌め込んだ状態で形成され、前後に連続する蓋部材３の天板の前側部分およびケース本体２の天板よりも上方に配置される。
【００２２】
かしめ部カバー５は、複数のかしめ部４を被覆する透明の部材である。かしめ部カバー５は、基板ケース１の内部に収納した制御基板への不正行為を防止するために用いられる。かしめ部カバー５は、下側が開口された略直方体の箱状に形成される。かしめ部カバー５は、ケース本体２と蓋部材３とが組み付けられたとき、前後に連続する蓋部材３の天板の前側部分、およびケース本体２の天板に取り付けられる。かしめ部カバー５の前後左右および上下幅は、複数のかしめ部４を外側から一括して被覆可能な長さに設定される。
【００２３】
シール貼付部１０は、本体側シール貼付部１０Ｒと蓋側シール貼付部１０Ｆとから形成される。シール貼付部１０は、ケース本体２と蓋部材３とが組み付けられたとき、蓋側シール貼付部１０Ｆにより本体側シール貼付部１０Ｒの開口側を閉塞して、略直方体の箱状に形成される。
【００２４】
シール貼付部１０には、ＩＣタグカッター２０を収容するための収容部１１が形成されている。
収容部１１は、シール貼付部１０の右側面から左端部にかけて形成されており、ＩＣタグカッター２０を所定の向きでシール貼付部１０の右側面からシール貼付部１０の内部に収容可能となっている。
【００２５】
ＩＣタグカッター２０は、ＩＣタグシール３０を切断するための切断手段として機能する。ＩＣタグカッター２０は、所定の向きでシール貼付部１０の右側面から収容部１１に収容される。
【００２６】
ＩＣタグシール３０は、シール貼付部１０に貼り付けることで、基板ケース１を開封する不正行為を防止する封印シールである。ＩＣタグシール３０は、通信機能を有し、専用の読取装置によって外部から非接触で所定の情報を読み取り可能に構成されている。
【００２７】
図４に示すように、ＩＣタグシール３０は、シール材３１と、ＩＣチップ３２と、アンテナ３３とを備える。
【００２８】
シール材３１は、外周が鋸歯状に形成された略長方形状の部材である。シール材３１は、一方の面に粘着剤層が形成されており、当該粘着剤層によりシール貼付部１０への貼り付けが可能となっている。
【００２９】
ＩＣチップ３２は、識別情報等が記録された集積回路であり、アンテナ３３と電気的に接続されている。
【００３０】
アンテナ３３は、帯状に形成された金属膜であり、ＩＣチップ３２に記録された情報を外部に発信するための部材である。アンテナ３３は、その長手方向がシール材３１の対角線に沿うようにシール材３１の一方の面（粘着剤層が形成された面）に配置され、アンテナ３３の中央部には、ＩＣチップ３２が配置されている。
【００３１】
図５に示すように、アンテナ３３には、スリット３３ａが形成されている。
スリット３３ａは、アンテナ３３の短手方向における一端（図５における上端）からアンテナ３３の短手方向に沿って中央付近まで延出された短手切込み３３ａＳと、当該短手方向の切込みの延出端部からアンテナ３３の長手方向における一側（図５における右側）の中途部までアンテナ３３の長手方向に沿って延出された長手切込み３３ａＬとから成る、略Ｌ字状の切込みである。
【００３２】
また、アンテナ３３には、スリット３３ａによってスタブ３３ｂが形成されている。
スタブ３３ｂは、アンテナ３３におけるスリット３３ａによって囲まれた部分であり、ＩＣチップ３２とアンテナ３３とのインピーダンス整合のために用いられる。
【００３３】
アンテナ３３においては、スリット３３ａの一部を成す短手切込み３３ａＳを跨ぐようにＩＣチップ３２が配置され、アンテナ３３のスタブ３３ｂ側および短手切込み３３ａＳを挟んだスタブ３３ｂの反対側とＩＣチップ３２とが電気的に接続されている。
こうして、ＩＣタグシール３０は、専用の読取装置によって外部から非接触でＩＣチップ３２の情報をアンテナ３３を介して読み取り可能に構成されている。
【００３４】
図６に示すように、ＩＣタグシール３０は、シール貼付部１０の収容部１１にＩＣタグカッター２０が収容された状態で、本体側シール貼付部１０Ｒと蓋側シール貼付部１０Ｆとを跨ぐように、シール貼付部１０の前面、右側面、および後面に亘って貼り付けられている。こうして、ＩＣタグシール３０が本体側シール貼付部１０Ｒと蓋側シール貼付部１０Ｆとの境界に沿って切断されること等がない限り、ケース本体２と蓋部材３との組み付けが解除されて、基板ケース１が開封されることが不可能となる。
【００３５】
シール貼付部カバー４０は、シール貼付部１０をＩＣタグカッター２０とＩＣタグシール３０と共に被覆する透明の部材である。シール貼付部カバー４０は、左側が開口された略直方体の箱状に形成される。シール貼付部カバー４０は、シール貼付部１０に貼り付けられたＩＣタグシール３０が溶剤等により不正の痕跡が残らないようにシール貼付部１０から剥離され、基板ケース１の内部に収納した制御基板に対して不正行為が行われることを防止するために用いられる。
【００３６】
シール貼付部カバー４０は、ケース本体２と蓋部材３とが組み付けられ、ケース本体２の右側板および蓋部材３の右側板にシール貼付部１０が形成された後、シール貼付部１０の収容部１１にＩＣタグカッター２０が収容され、更にシール貼付部１０の表面にＩＣタグシール３０が貼り付けられた状態で、シール貼付部１０を覆うようにケース本体２および蓋部材３に取り付けられる。こうして、シール貼付部カバー４０は、ケース本体２と蓋部材３との組み付けを保持し、シール貼付部カバー４０がケース本体２および蓋部材３から取り外されない限り、ケース本体２と蓋部材３との組み付けが解除されて、基板ケース１が開封されることが不可能となる。
【００３７】
また、詳細については後述するが、シール貼付部カバー４０は、ケース本体２および蓋部材３に取り付けられると、シール貼付部１０の収容部１１に収容されたＩＣタグカッター２０と一体的に固定される。基板ケース１が開封、つまりケース本体２と蓋部材３との組み付けが解除される際には、シール貼付部カバー４０がケース本体２および蓋部材３から取り外されると、それに伴ってシール貼付部カバー４０と一体的に固定されたＩＣタグカッター２０がシール貼付部１０の収容部１１から取り出され、シール貼付部１０の表面に貼り付けられたＩＣタグシール３０がＩＣタグカッター２０によって必然的に切断されることとなる。
【００３８】
以上のように構成される基板ケース１において、その組み立て時には、まず、蓋部材３を開口側がケース本体２の前開口側と対向するようにケース本体２の前方に移動させて、ケース本体２と蓋部材３との左右方向の位置を合わせる。次に、蓋部材３をケース本体２よりも少し下方へ移動させながらケース本体２に近づけて、蓋部材３の天板および左右側板の後側部分がケース本体２内においてケース本体２の天板および左右側板にそれぞれ内側から当接するように蓋部材３の上部をケース本体２に嵌合させる。
【００３９】
その後、蓋部材３の上部をケース本体２に嵌合させたまま上方へスライド移動させて、蓋部材３の各蓋側かしめ部４Ｆをケース本体２の各本体側かしめ部４Ｒに下方から嵌め込んで、蓋部材３をケース本体２に組み付ける。この際、各蓋側かしめ部４Ｆが対応する各本体側かしめ部４Ｒと前後に並んで、各かしめ部４が形成されることになる。同時に、蓋側シール貼付部１０Ｆが本体側シール貼付部１０Ｒと前後に並んで、シール貼付部１０が形成されることになる。そして、適宜のピン等の部材を各かしめ部４（本体側かしめ部４Ｒおよび蓋側かしめ部４Ｆ）に前方または後方から嵌入して、本体側かしめ部４Ｒと蓋側かしめ部４Ｆとをかしめ、ケース本体２と蓋部材３とを複数のかしめ部４にて固定する。
【００４０】
ケース本体２と蓋部材３とを組み付け、組み付けたケース本体２と蓋部材３との間に跨ってかしめ部４およびシール貼付部１０を設けた後は、かしめ部カバー５をケース本体２および蓋部材３の上部に取り付けて、複数のかしめ部４をかしめ部カバー５により外側から一括して覆う。また、シール貼付部１０の収容部１１にＩＣタグカッター２０を収容した後、本体側シール貼付部１０Ｒと蓋側シール貼付部１０Ｆとを跨ぐように、シール貼付部１０にＩＣタグシール３０を貼り付ける。更に、シール貼付部カバー４０をケース本体２および蓋部材３の右側部に取り付けて、シール貼付部１０をＩＣタグカッター２０とＩＣタグシール３０と共にシール貼付部カバー４０により外側から覆う。こうして、基板ケース１の組み立てが終了して、基板ケース１が完成する。
【００４１】
以下では、シール貼付部１０、ＩＣタグカッター２０、ＩＣタグシール３０、およびシール貼付部カバー４０について、図７から図１５を用いて更に詳細に説明する。
【００４２】
図７に示すように、シール貼付部１０に形成された収容部１１は、境界スリット１１Ｂと、本体側スリット１１Ｒと、蓋側スリット１１Ｆとで構成されている。
【００４３】
境界スリット１１Ｂは、本体側シール貼付部１０Ｒと蓋側シール貼付部１０Ｆとの境界部分に形成された切込みである。詳細には、境界スリット１１Ｂは、本体側シール貼付部１０Ｒと蓋側シール貼付部１０Ｆとが所定の間隔を有するように、本体側シール貼付部１０Ｒの右側板、天板、および底板の前後幅が設定されることによって形成される。
【００４４】
本体側スリット１１Ｒは、本体側シール貼付部１０Ｒに形成された切込みである。本体側スリット１１Ｒは、左右方向に沿うように本体側シール貼付部１０Ｒの両端に亘って形成されており、本体側シール貼付部１０Ｒを略上下中央位置にて上下に分断するように配置されている。つまり、本体側スリット１１Ｒは、境界スリット１１Ｂの略上下中央部から本体側シール貼付部１０Ｒの左端部まで延出されている。
【００４５】
蓋側スリット１１Ｆは、蓋側シール貼付部１０Ｆに形成された切込みである。蓋側スリット１１Ｆは、左右方向に沿うように蓋側シール貼付部１０Ｆの両端に亘って形成されており、蓋側シール貼付部１０Ｆを略上下中央位置にて上下に分断するように、本体側スリット１１Ｒと上下方向の位置を合わせて配置されている。つまり、蓋側スリット１１Ｆは、境界スリット１１Ｂの略上下中央部から蓋側シール貼付部１０Ｆの左端部まで延出されている。
【００４６】
以上のように、本体側スリット１１Ｒと蓋側スリット１１Ｆとが一直線状に連続し、本体側スリット１１Ｒおよび蓋側スリット１１Ｆと、境界スリット１１Ｂとがシール貼付部１０の右側面において直交するため、右側面視で収容部１１が略十字状に形成されることとなる。このように形成される境界スリット１１Ｂ、本体側スリット１１Ｒおよび蓋側スリット１１ＦにＩＣタグカッター２０が係合することで、ＩＣタグカッター２０が収容部１１に収容されることとなる。
【００４７】
また、シール貼付部１０は、係合片１２・１２を備える。
係合片１２・１２は、蓋側シール貼付部１０Ｆの後面（内面）から後方へ突出する略直方体状に形成されており、蓋側スリット１１Ｆを挟むように蓋側スリット１１Ｆから互いに一定の距離を置いて配置されている。つまり、係合片１２・１２は、蓋側スリット１１Ｆにより上下に分断された蓋側シール貼付部１０Ｆの上下部分にそれぞれ配置されている。
【００４８】
図８および図９に示すように、ＩＣタグカッター２０は、境界板２１Ｂと、本体側板２１Ｒと、蓋側板２１Ｆとを備える。
なお、以下におけるＩＣタグカッター２０の説明においては、ＩＣタグカッター２０がシール貼付部１０の収容部１１に収容される向き（図８参照）に設定されたものとして、その方向を規定している。
詳細には、図８における矢印Ｘの指す方向をＩＣタグカッター２０の右方向として左右方向を規定している。また、図８における矢印Ｙの指す方向をＩＣタグカッター２０の前方向として前後方向を規定している。さらに、図８における矢印Ｚの指す方向をＩＣタグカッター２０の上方向として上下方向を規定している。
【００４９】
境界板２１Ｂは、上下方向に延出された板材である。境界板２１Ｂは、収容部１１の一部を成す境界スリット１１Ｂの形状に合わせて形成され、境界スリット１１Ｂに収容（係合）可能となっている。
図１０および図１１に示すように、境界板２１Ｂは、境界スリット１１Ｂに収容された際に、境界スリット１１Ｂから外方に突出しない程度の大きさに設定されている。
【００５０】
図８および図９に示すように、境界板２１Ｂの右端部には、境界切断部２１Ｂａが形成されている。
【００５１】
境界切断部２１Ｂａは、ＩＣタグシール３０における本体側シール貼付部１０Ｒと蓋側シール貼付部１０Ｆとの境界を跨ぐ部分を切断する部位である。
境界切断部２１Ｂａは、シール貼付部カバー４０の取り外し方向、つまり右方向に行くに従って前方に向けて傾斜し、当該傾斜面と境界板２１Ｂの前面とが鋭角を成すように形成されている。
境界切断部２１Ｂａは、上下方向における両端に亘って連続的に形成されている。境界切断部２１Ｂａは、その上下方向の中央部分および両端部分がシール貼付部カバー４０の取り外し方向に向けて尖るように形成されている。
【００５２】
本体側板２１Ｒは、境界板２１Ｂの後面からケース本体２側の外方、つまり後方に突出するように形成された板材である。本体側板２１Ｒは、収容部１１の一部を成す本体側スリット１１Ｒの形状に合わせて形成され、本体側スリット１１Ｒと位置が合うように境界板２１Ｂの略上下中央に配置されている。そのため、本体側板２１Ｒは、本体側スリット１１Ｒに収容（係合）可能となっている。
図１１に示すように、本体側板２１Ｒの前後幅（図１１における左右方向の長さ）は、本体側板２１Ｒが本体側スリット１１Ｒに収容された際に、本体側シール貼付部１０Ｒから本体側板２１Ｒが若干突出するように設定されている。
本体側板２１Ｒにおける本体側シール貼付部１０Ｒから突出する部分には、本体側切断部２１Ｒａが形成されている。
【００５３】
本体側切断部２１Ｒａは、ＩＣタグシール３０における本体側シール貼付部１０Ｒに貼り付けられた部分を切断する部位である。
図８および図９に示すように、本体側切断部２１Ｒａは、シール貼付部カバー４０の取り外し方向、つまり右方向に向けて尖るように形成されている。
本体側切断部２１Ｒａは、その左右幅が本体側シール貼付部１０Ｒの左右幅よりも小さく設定され、本体側板２１Ｒが本体側スリット１１Ｒに収容された際に、本体側スリット１１Ｒの左端部に位置するように配置されている。
【００５４】
蓋側板２１Ｆは、境界板２１Ｂの前面から蓋部材３側の外方、つまり前方に突出するように形成された板材である。蓋側板２１Ｆは、収容部１１の一部を成す蓋側スリット１１Ｆの形状に合わせて形成され、蓋側スリット１１Ｆと位置が合うように境界板２１Ｂの略上下中央に配置されている。そのため、蓋側板２１Ｆは、蓋側スリット１１Ｆに収容（係合）可能となっている。
図１１に示すように、蓋側板２１Ｆの前後幅（図１１における左右方向の長さ）は、蓋側板２１Ｆが蓋側スリット１１Ｆに収容された際に、蓋側シール貼付部１０Ｆから蓋側板２１Ｆが若干突出するように設定されている。
蓋側板２１Ｆにおける蓋側シール貼付部１０Ｆから突出する部分には、蓋側切断部２１Ｆａが形成されている。
【００５５】
蓋側切断部２１Ｆａは、ＩＣタグシール３０における蓋側シール貼付部１０Ｆに貼り付けられた部分を切断する部位である。
図８および図９に示すように、蓋側切断部２１Ｆａは、シール貼付部カバー４０の取り外し方向、つまり右方向に向けて尖るように形成されている。
図１２に示すように、蓋側切断部２１Ｆａは、その左右幅（図１２における左右方向の長さ）が蓋側シール貼付部１０Ｆの左右幅よりも小さく設定され、蓋側板２１Ｆが蓋側スリット１１Ｆに収容された際に、蓋側スリット１１Ｆの左端部に位置するように配置されている。
【００５６】
以上のように、境界板２１Ｂ、本体側板２１Ｒ、および蓋側板２１Ｆは、それぞれ境界スリット１１Ｂ、本体側スリット１１Ｒ、および蓋側スリット１１Ｆと位置を合わせるように互いに連続するため、ＩＣタグカッター２０が右側面視で収容部１１の形状に合った略十字状に形成されて、収容部１１に収容可能となっている（図１１参照）。
【００５７】
また、図８および図９に示すように、境界板２１Ｂには、係合部２１Ｂｂ・２１Ｂｂと、固定部２１Ｂｃ・２１Ｂｃとが形成されている。
【００５８】
係合部２１Ｂｂ・２１Ｂｂは、シール貼付部１０の係合片１２・１２と係合する部位である。係合部２１Ｂｂ・２１Ｂｂは、係合片１２・１２の形状に合わせて境界板２１Ｂの左端部から右方向に向けて切り欠くように形成され、互いに所定の間隔を空けて配置されている。
【００５９】
固定部２１Ｂｃ・２１Ｂｃは、ＩＣタグカッター２０とシール貼付部カバー４０とを固定するための部位である。固定部２１Ｂｃ・２１Ｂｃは、それぞれ境界板２１Ｂの上端部および下端部から左方向に向けて突出し、突出端部に行くに従って互いに徐々に離間するように形成されている。
図１０および図１２に示すように、固定部２１Ｂｃ・２１Ｂｃの突出端部は、ＩＣタグカッター２０が収容部１１に収容された際に、それぞれシール貼付部１０の上端部および下端部の近傍に配置される。
【００６０】
図１０に示すように、ＩＣタグカッター２０は、境界板２１Ｂの係合部２１Ｂｂ・２１Ｂｂがシール貼付部１０の係合片１２・１２と係合し、更に境界板２１Ｂの境界切断部２１Ｂａがシール貼付部１０の右側面よりも若干左方に位置し、境界板２１Ｂの固定部２１Ｂｃ・２１Ｂｃの突出端部（左端部）がそれぞれシール貼付部１０の上端部および下端部の近傍に位置するように収容部１１に収容される。
また、図１１に示すように、ＩＣタグカッター２０は、境界スリット１１Ｂと境界板２１Ｂ、本体側スリット１１Ｒと本体側板２１Ｒ、および蓋側スリット１１Ｆと蓋側板２１Ｆが互いに対応し、更に本体側板２１Ｒの本体側切断部２１Ｒａが本体側シール貼付部１０Ｒから突出し、かつ蓋側板２１Ｆの蓋側切断部２１Ｆａが蓋側シール貼付部１０Ｆから突出するように収容部１１に収容される。
【００６１】
図１２に示すように、ＩＣタグカッター２０が収容部１１に収容されると、ＩＣタグカッター２０における蓋側板２１Ｆの蓋側切断部２１Ｆａが収容部１１の蓋側スリット１１Ｆの左端部に位置した状態となる。一方で、ＩＣタグカッター２０における本体側板２１Ｒの本体側切断部２１Ｒａが収容部１１の本体側スリット１１Ｒの左端部に位置した状態となる（不図示）。
【００６２】
この状態で、ＩＣタグシール３０が蓋側板２１Ｆの蓋側切断部２１Ｆａ、および本体側板２１Ｒの本体側切断部２１Ｒａを覆わないように、シール貼付部１０におけるケース本体２側の表面、突出方向側の表面、および蓋部材３側の表面、つまりシール貼付部１０の前面、右側面、および後面に亘って、蓋側スリット１１Ｆ、境界スリット１１Ｂ、および本体側スリット１１Ｒを覆って貼り付けられる。
なお、ＩＣタグシール３０は、アンテナ３３に形成されたスタブ３３ｂが境界スリット１１Ｂ、本体側スリット１１Ｒ、および蓋側スリット１１Ｆの交差部分の近傍に位置するようにシール貼付部１０に貼り付けられることが好ましい。換言すれば、境界スリット１１Ｂ、本体側スリット１１Ｒ、および蓋側スリット１１Ｆは、それらの交差部分がＩＣタグシール３０におけるアンテナ３３のスタブ３３ｂ近傍に位置するように、配置されることが好ましい。これは、ＩＣタグカッター２０によるＩＣタグシール３０の切断時に、ＩＣタグシール３０の通信機能が残存することを防止するためである。前記交差部分は、ＩＣタグカッター２０の境界切断部２１Ｂａ、本体側切断部２１Ｒａ、および蓋側切断部２１Ｆａの通過経路であるため、比較的高い確率でスタブ３３ｂが切断されて、ＩＣタグシール３０の通信機能が消失する。
【００６３】
その後、シール貼付部カバー４０がシール貼付部１０をＩＣタグカッター２０とＩＣタグシール３０と共に被覆するようにケース本体２および蓋部材３に取り付けられる。
【００６４】
図１３に示すように、シール貼付部カバー４０は、固定爪４１・４１と、掛止片４２・４２とを備える。
【００６５】
固定爪４１・４１は、ＩＣタグカッター２０とシール貼付部カバー４０とを固定するための部材である。固定爪４１・４１は、左方向に延出するように形成され、それぞれシール貼付部カバー４０の上端部近傍および下端部近傍に配置される。固定爪４１・４１は、延出端部（左端部）が互いに近接する方向に突起するように形成されている。
【００６６】
掛止片４２・４２は、ケース本体２および蓋部材３と、シール貼付部カバー４０とを固定するための部材である。掛止片４２・４２は、それぞれ、上方の固定爪４１の上面から上方へ、下方の固定爪４１の下面から下方へ突起するように形成されている。上方の固定爪４１は、ケース本体２に形成された掛止爪２ａに掛止され、下方の固定爪４１は、蓋部材３に形成された掛止爪３ａに掛止されることで、ケース本体２および蓋部材３と、シール貼付部カバー４０とが固定される。
掛止爪２ａは、ケース本体２の右側面から右方向に突出するように形成された部材であり、シール貼付部１０の上方に配置されている。掛止爪２ａは、延出端部（右端部）が下方に突起するように形成されている。
掛止爪３ａは、蓋部材３の右側面から右方向に突出するように形成された部材であり、シール貼付部１０の下方に配置されている。掛止爪３ａは、延出端部（右端部）が上方に突起するように形成されている。
【００６７】
シール貼付部カバー４０は、ＩＣタグカッター２０が収容され、かつＩＣタグシール３０（不図示）が貼り付けられた状態のシール貼付部１０に右方向から近接されることで、固定爪４１・４１がＩＣタグカッター２０における境界板２１Ｂの固定部２１Ｂｃ・２１Ｂｃに掛止され、掛止片４２・４２が掛止爪２ａ・３ａに掛止される。
こうして、シール貼付部カバー４０に右方向への力が加わった際（シール貼付部カバー４０を取り外そうとした際）には、シール貼付部カバー４０の右方向への移動を前記掛止爪２ａ・３ａの突起部分が制限することとなり、掛止爪２ａ・３ａの切断等が行われない限り、シール貼付部カバー４０をケース本体２および蓋部材３から取り外すことが不可能となる。
【００６８】
また、掛止爪２ａ・３ａの切断等が行われ、シール貼付部カバー４０がケース本体２および蓋部材３から取り外される際には、ＩＣタグカッター２０の左方向への移動を前記固定爪４１・４１の突起部分が制限し、ＩＣタグカッター２０の右方向への移動をシール貼付部カバー４０の右側部の内面が制限することとなる。そのため、シール貼付部カバー４０と一体的に固定されたＩＣタグカッター２０が、シール貼付部カバー４０と共にシール貼付部１０の収容部１１から取り出されることとなる。
これにより、シール貼付部カバー４０がケース本体２および蓋部材３から取り外されると、必然的にＩＣタグカッター２０がＩＣタグシール３０を切断することとなり、基板ケース１が不正に開封されることを抑制できる。
【００６９】
図１４に示すように、シール貼付部カバー４０がケース本体２および蓋部材３から取り外される際、シール貼付部カバー４０（不図示）が右方向（図１４における矢印方向）に移動するに伴い、ＩＣタグカッター２０も右方向に移動する。
なお、図１４においては、説明の便宜上、シール貼付部カバー４０を省略している。
【００７０】
ＩＣタグカッター２０の移動に伴って、境界切断部２１Ｂａが境界スリット１１Ｂに沿ってＩＣタグシール３０を切断する。
前述のように、境界切断部２１Ｂａは、上下方向の中央部分および両端部分に尖端を有する。
これにより、前記尖端がＩＣタグシール３０における本体側シール貼付部１０Ｒと蓋側シール貼付部１０Ｆとの境界を跨ぐ部分を貫通し、当該貫通部分からＩＣタグシール３０を境界スリット１１Ｂに沿って良好に切断することができる。
【００７１】
また、ＩＣタグカッター２０の移動に伴って、本体側切断部２１Ｒａおよび蓋側切断部２１Ｆａがそれぞれ左方向から本体側スリット１１Ｒおよび蓋側スリット１１Ｆに沿ってＩＣタグシール３０を切断する。
前述のように、本体側切断部２１Ｒａおよび蓋側切断部２１Ｆａは、尖端を有する。
これにより、前記本体側切断部２１Ｒａおよび蓋側切断部２１Ｆａの尖端がそれぞれＩＣタグシール３０における本体側シール貼付部１０Ｒおよび蓋側シール貼付部１０Ｆに貼り付けられた部分に左方向から切れ目を形成し、当該切れ目部分からＩＣタグシール３０を本体側スリット１１Ｒおよび蓋側スリット１１Ｆに沿って良好に切断することができる。
【００７２】
図１５に示すように、ケース本体２および蓋部材３からシール貼付部カバー４０が完全に取り外され、ＩＣタグカッター２０によってＩＣタグシール３０が切断されると、ＩＣタグシール３０に切断痕が残る。つまり、ＩＣタグカッター２０には、境界切断部２１Ｂａ、本体側切断部２１Ｒａ、および蓋側切断部２１Ｆａが設けられているため、境界スリット１１Ｂ、本体側スリット１１Ｒ、および蓋側スリット１１Ｆに沿った切断痕がＩＣタグシール３０に残る。
これにより、基板ケース１の正面側、つまり基板ケース１の検査時における検査担当者側にＩＣタグシール３０の切断痕が残ることとなり、基板ケース１が不正に開封された痕跡を目視で容易に発見することができる。
また、ＩＣタグシール３０の前側部分、右側部分、および後側部分の３方向に切断痕が残ることとなり、基板ケース１が不正に開封された痕跡を目視で容易に発見することができる。
【００７３】
また、ＩＣタグシール３０が境界切断部２１Ｂａによって境界スリット１１Ｂに沿って切断されるだけでなく、本体側切断部２１Ｒａおよび蓋側切断部２１Ｆａによって本体側スリット１１Ｒおよび蓋側スリット１１Ｆに沿って切断される。
これにより、ＩＣタグシール３０が比較的多くの箇所で切断されることとなり、ＩＣタグシール３０のシール貼付部１０への貼付位置のずれ、又はＩＣタグシール３０の製品誤差等が生じている場合でも、精度良くＩＣタグシール３０におけるアンテナ３３のスタブ３３ｂを切断して、ＩＣタグシール３０の通信機能が残存することを防止できる。
【００７４】
なお、本実施形態においては、ＩＣタグカッター２０の境界板２１Ｂの後面および前面にそれぞれ本体側板２１Ｒおよび蓋側板２１Ｆが一つずつ設けられ、それらに本体側切断部２１Ｒａおよび蓋側切断部２１Ｆａが形成されているが、ＩＣタグカッター２０の境界板２１Ｂの前面に少なくても一つの蓋側板２１Ｆが設けられ、それに蓋側切断部２１Ｆａが形成されていれば、本体側板２１Ｒおよび蓋側板２１Ｆの数は問わない。
また、本実施形態においては、封印シールとして、通信機能を有するＩＣタグシール３０を適用したが、通信機能を有さない封印シールを適用してもよい。
【符号の説明】
【００７５】
１：基板ケース、２：ケース本体、３：蓋部材、１０：シール貼付部、１０Ｒ：本体側シール貼付部、１０Ｆ：蓋側シール貼付部、１１：収容部、１１Ｂ：境界スリット、１１Ｒ：本体側スリット、１１Ｆ：蓋側スリット、２０：ＩＣタグカッター、２１Ｂ：境界板、２１Ｂａ：境界切断部、２１Ｒ：本体側板、２１Ｒａ：本体側切断部、２１Ｆ：蓋側板、２１Ｆａ：蓋側切断部、３０：ＩＣタグシール、４０：シール貼付部カバー
【図１】
2011212319.tif 000003
【図２】
2011212319.tif 000004
【図３】
2011212319.tif 000005
【図４】
2011212319.tif 000006
【図５】
2011212319.tif 000007
【図６】
2011212319.tif 000008
【図７】
2011212319.tif 000009
【図８】
2011212319.tif 000010
【図９】
2011212319.tif 000011
【図１０】
2011212319.tif 000012
【図１１】
2011212319.tif 000013
【図１２】
2011212319.tif 000014
【図１３】
2011212319.tif 000015
【図１４】
2011212319.tif 000016
【図１５】
2011212319.tif 000017